(57)【要約】【課題】購入者に対し通常価格より安い価格で商品を提供するサービスの実施に際し、そのサービスの内容に合う最適な売上管理が可能な商品販売処理装置およびその制御プログラムを提供する。【解決手段】値引券や割引券に応じた額を商品価格から差し引き、差し引き後の請求額を売上額および収入額として計上する処理のほかに、設定金額を代金支払に充当する金券扱いとして商品価格から差し引き、差し引き後の請求額と設定金額との合計を売上額として計上しかつ請求額を収入額として計上する金券支払（金額）処理、設定割引率の額を代金支払に充当する金券扱いとして商品価格から差し引き、差し引き後の請求額と設定割引率の額との合計を売上額として計上しかつ請求額を収入額として計上する金券支払（割引）処理の機能を有する。【選択図】図３
2011232888.tif 000002
【特許請求の範囲】
【請求項１】
値引券または割引券に応じた額を商品価格から差し引き、差し引き後の額を請求するとともに、その請求額を売上額および収入額としてそれぞれ計上する値引・割引券支払処理手段と、
予め定められた設定金額を代金支払に充当する金券扱いとして商品価格から差し引き、差し引き後の金額を請求するとともに、その請求額と前記設定金額との合計を売上額として計上し、かつ請求額を収入額として計上する第１の金券支払処理手段と、
予め定められた設定割引率の額を代金支払に充当する金券扱いとして商品価格から差し引き、差し引き後の額を請求するとともに、その請求額と前記設定割引率の額との合計を売上額として計上し、かつ請求額を収入額として計上する第２の金券支払処理手段と、
を備えることを特徴とする商品販売処理装置。
【請求項２】
前記売上額を計上するための売上計データファイルと、
前記収入額を計上するための収入計データファイルと、
をさらに備えることを特徴とする請求項１記載の商品販売処理装置。
【請求項３】
前記売上計データファイルは、販売する商品ごとに、商品名を表す商品名データ、商品価格を表す商品価格データ、購入者による代金の支払形態を表す支払形態データ、売上額を表す売上額データ、商品価格と請求額との差額を表す差額データ、売上額の合計を表す売上計データを格納し、
前記収入計データファイルは、販売する商品ごとに、商品名を表す商品名データ、商品価格を表す商品価格データ、購入者による代金の支払形態を表す支払形態データ、収入額を表す収入額データ、商品価格と請求額との差額を表す差額データ、収入額の合計を表す収入計データを格納する、
ことを特徴とする請求項２記載の商品販売処理装置。
【請求項４】
購入者による代金の支払形態を指定する指定手段と、
この指定手段の指定内容に応じて前記各処理手段の処理を選択的に実行する制御手段と、
をさらに備えることを特徴とする請求項１記載の商品販売処理装置。
【請求項５】
タッチパネル式のディスプレイと、
前記設定金額を可変設定するための金額設定画面、および前記設定割引率を可変設定するための割引率設定画面を前記ディスプレイで表示する表示制御手段と、
をさらに備えることを特徴とする請求項１記載の商品販売処理装置。
【請求項６】
コンピュータを備えた商品販売処理装置において、
前記コンピュータに、
値引券に記載された金額または割引券に記載された割引率の額を商品価格から差し引き、差し引き後の額を請求するとともに、その請求額を売上額および収入額としてそれぞれ計上する値引・割引券支払処理の機能と、
予め定められた設定金額を代金支払に充当する金券扱いとして商品価格から差し引き、差し引き後の金額を請求するとともに、その請求額と前記設定金額との合計を売上額として計上し、かつ請求額を収入額として計上する第１の金券支払処理の機能と、
予め定められた設定割引率の額を代金支払に充当する金券扱いとして商品価格から差し引き、差し引き後の額を請求するとともに、その請求額と前記設定割引率の額との合計を売上額として計上し、かつ請求額を収入額として計上する第２の金券支払処理の機能と、
を実現させることを特徴とする商品販売処理装置の制御プログラム。
【発明の詳細な説明】
【技術分野】
【０００１】
本発明の実施形態は、商品販売処理装置およびその制御プログラムに関する。
【背景技術】
【０００２】
商品販売処理装置たとえばＰＯＳターミナルや電子式キャッシュレジスタは、購入者の現金による支払に対処する現金支払、クレジットカードによる支払に対処するクレジットカード支払のほかに、値引券や割引券を用いる支払に対処する値引・割引券支払などに対処できる。
【０００３】
例えば、購入者から値引券が提示されると、その値引券に記された金額を商品価格から差し引いて買物客に請求する。割引券が提示された場合は、その割引面に記された割引率の額を商品価格から差し引いて買物客に請求する。
【０００４】
このような商品販売処理装置が設置された店舗において、従業員割引や会員割引など、購入者に対し通常価格より安い価格で商品を提供するサービスを実施したい場合、その実施に上記値引・割引券支払処理を利用することが考えられる。
【先行技術文献】
【特許文献】
【０００５】
【特許文献１】特開２００５−２２２１９６号公報
【発明の概要】
【発明が解決しようとする課題】
【０００６】
値引・割引券支払処理には、請求額のみ売上計上し、値引分や割引分の額については売上計上しないという特徴がある。
【０００７】
一方、購入者に対し通常価格より安い価格で商品を提供するサービスを実施する場合、請求額だけでなく、その請求額に減額分まで加えた額を売上計上したいという要求がある。値引・割引券支払処理では、このような要求に応えることができない。
【０００８】
本発明の実施形態の目的は、購入者に対し通常価格より安い価格で商品を提供するサービスの実施に際し、そのサービスの内容に合う最適な売上管理が可能な商品販売処理装置およびその制御プログラムを提供することである。
【課題を解決するための手段】
【０００９】
本発明の実施形態の商品販売処理装置は、値引券に記された金額または割引券に記された割引率の額を商品価格から差し引き、差し引き後の額を請求するとともに、その請求額を売上額および収入額としてそれぞれ計上する値引・割引券支払処理手段と、予め定められた設定金額を代金支払に充当する金券扱いとして商品価格から差し引き、差し引き後の金額を請求するとともに、その請求額と前記設定金額との合計額を売上額として計上し、かつ請求額を収入額として計上する第１の金券支払処理手段と、予め定められた設定割引率の額を代金支払に充当する金券扱いとして商品価格から差し引き、差し引き後の額を請求するとともに、その請求額と前記設定割引率の額との合計額を売上額として計上し、かつ請求額を収入額として計上する第２の金券支払処理手段と、を備える。
【図面の簡単な説明】
【００１０】
【図１】一実施形態の外観を示す図。
【図２】同実施形態の制御回路のブロック図。
【図３】同実施形態の作用を説明するためのタイムチャート。
【図４】同実施形態の会計画面を示す図。
【図５】同実施形態の売上計データファイルのフォーマットを示す図。
【図６】同実施形態の収入計データファイルのフォーマットを示す図。
【図７】同実施形態の金額設定画面を示す図。
【図８】同実施形態の割引率設定画面を示す図。
【発明を実施するための形態】
【００１１】
以下、一実施形態について図面を参照して説明する。
【００１２】
図１において、１は商品販売処理装置たとえばＰＯＳターミナルで、現金等を収容するためのドロワ２を付属して備え、商店等のレジカウンタに設置される。ドロワ２は、開閉自在な引出し２ａを有する。
【００１３】
そして、ＰＯＳターミナル１は、正面側にキーボード３、モードスイッチ４、カードリーダ５、およびタッチパネル式のオペレータディスプレイ（カラー液晶ディスプレイ）６を有し、購入者が立つ側に客面ディスプレイ（カラー液晶ディスプレイ）７を有する。また、ＰＯＳターミナル１は、ジャーナルを電子媒体に保存する電子ジャーナル８、レシートやジャーナル用紙をプリントするプリンタ９、商品に付されたラベルのバーコードを読取るバーコードスキャナ１０を有する。
【００１４】
上記キーボード３は、数値入力用のテンキーおよび条件設定用の各種設定キーを有する。モードスイッチ４は、各種業務モードの選択用で、専用キーにより操作される。カードリーダ５は、カードの挿入およびスライド操作により、そのカードに記録されているデータを読取る。オペレータディスプレイ６は、商品販売処理に伴うデータ表示およびデータ入力用の各種画面を表示する。客面ディスプレイ７は、商品販売処理に伴う各種データを表示する。
【００１５】
このＰＯＳターミナル１の制御回路を図２に示す。  
ＣＰＵ２０およびチップセット２１に制御部であるマイクロコンピュータ２２を接続し、そのマイクロコンピュータ２２にドロワ２、キーボード３、モードスイッチ４、カードリーダ５、オペレータディスプレイ６、客面ディスプレイ７、電子ジャーナル８、プリンタ９、バーコードスキャナ１０、プログラム記憶用のＲＯＭ２３、各種データ記憶用のＲＡＭ２４、データファイル記憶用のハードディスクドライブ（ＨＤＤ）２５、通信用インタフェース２６を接続する。ＲＯＭ２３は、商品販売処理に必要な制御プログラムとして、オペレーティングシステム（ＯＳ）およびアプリケーションプログラムを記憶している。通信用インタフェース２６は、通信用ネットワークたとえばＬＡＮを介して上位のホストコンピュータとのデータ送受信を行う。
【００１６】
ハードディスクドライブ２５は、商品名およびその商品名ごとの商品価格（単価）を対応付けて格納した商品データファイル２５ａ、購入者による代金の支払形態を表す券種ごとの券種データを格納した券種データファイル２５ｂ、売上額を計上するための売上計データファイル２５ｃ、収入額を計上するための収入計データファイル２５ｄなどを記憶している。
【００１７】
そして、ＣＰＵ２０は、ＲＯＭ２３内の制御プログラムに基づく主要な機能として、次の（１）〜（９）の手段を有する。  
（１）購入者の現金による支払に対処する現金支払処理手段。
【００１８】
（２）購入者のカードによる支払に対処するカード支払処理手段。
【００１９】
（３）購入者の掛支払に対処する掛支払処理手段。
【００２０】
（４）購入者から提示される値引券または割引券に応じた額を商品価格から差し引き、差し引き後の額を請求するとともに、その請求額を売上額および収入額としてそれぞれ計上する値引・割引券支払処理手段。
【００２１】
（５）予め定められた設定金額を購入者の代金支払に充当する金券扱いとして商品価格から差し引き、差し引き後の金額を請求するとともに、その請求額と上記設定金額との合計を売上額として計上し、かつ請求額を収入額として計上する第１の金券支払処理手段。
【００２２】
（６）予め定められた設定割引率（設定割合ともいう）の額を購入者の代金支払に充当する金券扱いとして商品価格から差し引き、差し引き後の額を請求するとともに、その請求額と上記設定割引率の額との合計を売上額として計上し、かつ請求額を収入額として計上する第２の金券支払処理手段。
【００２３】
（７）オペレータディスプレイ６のタッチ操作に応じて、購入者による代金の支払形態を指定する指定手段。
【００２４】
（８）上記指定手段の指定内容に応じて上記各処理手段の処理を選択的に実行する制御手段。
【００２５】
（９）上記設定金額を可変設定するための金額設定画面、および上記設定割引率を可変設定するための割引率設定画面をオペレータディスプレイ６で表示する表示制御手段。
【００２６】
つぎに、図３のフローチャートを参照しながら作用について説明する。  
購入者によって商品がレジカウンタに持込まれると、オペレータは、キーボード３またはオペレータディスプレイ６の表示画面において、持込まれた商品に対応する商品名のキーを押圧し、続いて小計キーを押圧する。
【００２７】
マイクロコンピュータ２２は、小計キーが押圧されると（ステップ１０１のＹＥＳ）、上記キー入力された商品名およびそれに対応する商品価格を商品データファイル２５ａから読出し、読出した商品名および商品価格の表示を含む図４の会計画面６ａをオペレータディスプレイ６で表示する（ステップ１０２）。
【００２８】
会計画面６ａは、購入者による代金の支払形態を指定するための現金支払釦３１、クレジットカード支払釦３２、掛支払釦３３、値引・割引券支払釦３４、金券支払（金額）釦３５、金券支払（割引）釦３６、券種データ設定釦４０などの表示を含んでいる。なお、券種データ設定釦４０と同じ機能の券種データ設定キー４１がキーボード３にも用意されている。
【００２９】
オペレータは、購入者による代金の支払形態に合せて、現金支払釦３１、クレジットカード支払釦３２、掛支払釦３３、値引・割引券支払釦３４、金券支払（金額）釦３５、金券支払（割引）釦３６のいずれかにタッチ操作する。
【００３０】
マイクロコンピュータ２２は、現金支払釦３１がタッチ操作されると（ステップ１０３のＹＥＳ）、上記読出した１つまたは複数の商品価格の合計を小計として算出して会計画面６ａの小計欄５２で表示し、その小計に奉仕料や税額等を含めた合計額を算出して会計画面６ａの合計欄５６で表示するとともに、その合計額を客面ディスプレイ７で表示して購入者に請求する（ステップ１０４）。購入者は、この現金支払処理による請求額に相当する現金をオペレータに支払う。
【００３１】
会計画面６ａは、小計欄５２および合計欄５６のほかに、販売対象の商品名を表示する商品名欄５１、奉仕料を表示する奉仕料欄５３、税の額を表示する税欄５４、値割引の額を表示する値割引欄５５、購入者からの預かり額を表示する現金欄５７、金券扱いする額を表示する金券欄５８、購入者が支払うべき残高を表示する残高欄５９、後述の金券支払処理が適用されるサービスの名称と額などを表示するサービス項目欄６０などを含む。
【００３２】
また、マイクロコンピュータ２２は、クレジットカード支払釦３２がタッチ操作された場合（ステップ１０５のＹＥＳ）、上記読出した１つまたは複数の商品価格の合計を小計として算出して会計画面６ａの小計欄５２で表示し、その小計に奉仕料や税額等を含めた合計額を算出して会計画面６ａの合計欄５６で表示するとともに、その合計額を客面ディスプレイ７で表示して購入者に請求し、購入者のクレジットカードがカードリーダ５に通されると、合計額をクレジットカード決済する（ステップ１０６）。
【００３３】
マイクロコンピュータ２２は、掛支払釦３３がタッチ操作された場合（ステップ１０７のＹＥＳ）、上記読出した１つまたは複数の商品価格の合計を小計として算出して会計画面６ａの小計欄５２で表示し、その小計に奉仕料や税額等を含めた合計額を算出して会計画面６ａの合計欄５６で表示するとともに、その合計額を客面ディスプレイ７で表示して購入者に請求しながら売掛処理する（ステップ１０８）。
【００３４】
マイクロコンピュータ２２は、値引・割引券支払釦３４がタッチ操作された場合（ステップ１０９のＹＥＳ）、上記読出した１つまたは複数の商品価格の合計を小計として算出して会計画面６ａの小計欄５２で表示し、その小計に奉仕料や税額等を含めた合計額を算出して会計画面６ａの合計欄５６で表示し、購入者から提示される値引券に記された金額または割引券に記された割引率の額を上記算出した合計額から差し引き、その差し引き額を会計画面６ａの値割引欄５５で表示し、かつ差し引き後の合計額を購入者が支払うべき残高として会計画面６ａの残高欄５９で表示するとともに、その残高を客面ディスプレイ７で表示して購入者に請求する（ステップ１１０）。購入者は、この値引・割引券支払処理により請求される残高に相当する現金をオペレータに支払う。
【００３５】
そして、マイクロコンピュータ２２は、これら現金支払処理、クレジットカード支払処理、掛支払処理、値引・割引券支払処理の最終段階として、請求額を売上額として売上計データファイル２５ｃに計上するとともに（ステップ１１１）、同請求額を収入額として収入計データファイル２５ｄに計上する（ステップ１１２）。
【００３６】
一方、マイクロコンピュータ２２は、金券支払（金額）釦３５がタッチ操作された場合（ステップ１１３のＹＥＳ）、上記読出した１つまたは複数の商品価格の合計を小計として算出して会計画面６ａの小計欄５２で表示し、その小計に奉仕料や税額等を含めた合計額を算出して会計画面６ａの合計欄５６で表示するとともに、予め定められている設定金額たとえば１０００円を購入者の代金支払に充当する金券扱いとして上記算出した合計額から差し引き、その差し引き額１０００円を会計画面６ａの金券欄５８で表示し、かつ差し引き後の合計額を購入者が支払うべき残高として会計画面６ａの残高欄５９で表示するとともに、その残高を客面ディスプレイ７で表示して購入者に請求する（ステップ１１４）。購入者は、この金券支払（金額）処理により請求される残高に相当する現金をオペレータに支払う。
【００３７】
そして、マイクロコンピュータ２２は、この金券支払（金額）処理の最終段階として、請求額と上記設定金額との合計額を売上額として売上計データファイル２５ｃに計上するとともに（ステップ１１５）、その請求額を収入額として収入計データファイル２５ｄに計上する（ステップ１１２）。
【００３８】
また、マイクロコンピュータ２２は、金券支払（割引）釦３６がタッチ操作されると（ステップ１１６のＹＥＳ）、上記読出した１つまたは複数の商品価格の合計を小計として算出して会計画面６ａの小計欄５２で表示し、その小計に奉仕料や税額等を含めた合計額を算出して会計画面６ａの合計欄５６で表示するとともに、予め定められている設定割引率たとえば１５％の額を購入者の代金支払に充当する金券扱いとして上記算出した合計額から差し引き、その差し引き分である１５％の額を会計画面６ａの金券欄５８で表示し、かつ差し引き後の合計額を購入者が支払うべき残高として会計画面６ａの残高欄５９で表示するとともに、その残高を客面ディスプレイ７で表示して購入者に請求する（ステップ１１７）。購入者は、この金券支払（割引）処理により請求される残高に相当する現金をオペレータに支払うことになる。
【００３９】
そして、マイクロコンピュータ２２は、この金券支払（割引）処理の最終段階として、請求額と上記設定割引率の額との合計額を売上額として売上計データファイル２５ｃに計上するとともに（ステップ１１８）、同請求額を収入額として収入計データファイル２５ｄに計上する（ステップ１１２）。
【００４０】
これら金券支払（金額）処理および金券支払（割引）処理は、例えば従業員割引、会員割引、お得意様割引、指定日割引、時間帯割引など、種々の割引サービスに適用可能である。
【００４１】
図４に示した会計画面６ａは、設定割引率１５％の金券支払（割引）処理を従業員割引サービスに適用した例である。販売商品が１０００円の焼肉定食１つの場合で、小計欄５２に商品価格１０００円、合計欄５６に合計額１０００円、金券欄５８に１０００円の１５％分のサービス額１５０円、残高欄５９に支払い残高９５０円、サービス項目欄６０に割引サービスの名称“従業員割引”と今回のサービス額１５０円を表示している。
【００４２】
売上計データファイル２５ｃは、図５に示すように、販売する商品ごとに、商品に固有の商品コード、商品名を表す商品名データ、商品価格を表す商品価格データ、購入者による代金の支払形態を表す支払形態データ、売上額を表す売上額データ、商品価格と請求額との差額を表す差額データ、売上額の合計を表す売上計データを格納する。この売上計データにより、商品販売処理の売上管理が可能となる。
【００４３】
収入計データファイル２５ｄは、図６に示すように、販売する商品ごとに、商品に固有の商品コード、商品名を表す商品名データ、商品価格を表す商品価格データ、購入者による代金の支払形態を表す支払形態データ、収入額を表す収入額データ、商品価格と請求額との差額を表す差額データ、収入額の合計を表す収入計データを格納する。この収入計データは、売上計とは別に収入計を把握することができる。
【００４４】
なお、マイクロコンピュータ２２は、金券支払（金額）処理に際し、金券扱いの設定金額を請求額などと共にレシート印字および電子ジャーナル印字する。金券支払（割引）処理に際しては、金券扱いの設定割引率の額についてはレシート印字および電子ジャーナル印字するが、設定割引率そのものは印字しない。ただし、設定割引率を請求額などと共に印字するか否かの仕様については、実際の運用に応じて適宜に変更可能である。
【００４５】
以上のように、金券支払処理として、予め定められた設定金額を代金支払に充当する金券扱いとして商品価格から差し引く金券支払（金額）処理、予め定められた設定割引率の額を代金支払に充当する金券扱いとして商品価格から差し引く金券支払（割引）処理の２つを用意することで、店舗の地域、商品の種類、顧客の要望などに合せて両者を使い分けながら、購入者に対し通常価格より安い価格で商品を提供する割引サービスの実施が可能となる。これにより、顧客の満足度を大幅に高めることができ、店舗にとっては顧客の増加および売上の増大につながる。
【００４６】
とくに、金券支払（金額）処理および金券支払（割引）処理に際しては、請求額のみ売上計上する値引・割引支払処理と異なり、請求額に金券分（＝減額分）まで加えた額を売上計上できるという、金券扱いの割引サービスに合う最適な売上管理が可能となる。
【００４７】
しかも、収入計データファイル２５ｄを参照すれば、購入者への請求額に相当する収入額、および商品価格と請求額との差額を把握することができる。この収入計データは、売上計データファイル２５ｃに基づく売上管理の信頼性を高める上で、貴重かつ重要な資料となる。
【００４８】
ところで、マイクロコンピュータ２２は、会計画面６ａの券種データ設定釦４０がタッチ操作された場合、あるいはキーボード３の券種データ設定キー４１が押圧操作された場合（ステップ１１９のＹＥＳ）、図７に示す券種データ設定画面６ｂをオペレータディスプレイ６で表示し、その券種データ設定画面６ｂへのタッチ操作に応じた券種データ設定処理を実行する（ステップ１２０）。
【００４９】
券種データ設定画面６ｂは、金券販売処理、金券支払処理、値引・割引券支払処理、金券支払（釣銭）、金券支払（釣有ＯＰ）のいずれかを選択するための券種選択窓７０を有する。マイクロコンピュータ２２は、券種選択窓７０へのタッチ操作により同券種選択窓７０で金券支払が表示されると、券種データ設定画面６ｂを金券支払（金額）タブ８０および金額入力ダイアログ（プリセット単価入力案内欄）７１を有する金額設定画面へと切換える。
【００５０】
金券支払（金額）タブ８０は、金額表示窓８１、金額釦８２、割引率釦８３を有する。マイクロコンピュータ２２は、金額釦８２がタッチ操作されると、金額表示窓８１を“０”クリアし、続くキーボード３のテンキー操作に応じて数値たとえば“１０００”を金額表示窓８１で表示する。この数値“１０００”は、設定金額１０００円に相当する。この状態で更新釦７２がタッチ操作されると、マイクロコンピュータ２２は、金額表示窓８１の設定金額１０００円を確定し、その設定内容を券種データとして券種データファイル２５ｂに記憶するとともに、オペレータディスプレイ６の表示を会計画面６ａまたは初期画面に戻す。
【００５１】
また、マイクロコンピュータ２２は、金額設定画面における割引率釦８３がタッチ操作されると、券種データ設定画面６ｂを金券支払（割引）タブ９０および割引率入力ダイアログ（プリセットレート入力案内欄）７３を有する割引率設定画面へと切換える。
【００５２】
金券支払（割引）タブ９０は、割引率表示窓９１、金額釦９２、割引率釦９３、端数設定窓９４を有する。マイクロコンピュータ２２は、割引率釦９３がタッチ操作されると、割引率表示窓９１を“０”クリアし、続くキーボード３のテンキー操作に応じて数値たとえば“１５”を割引率表示窓９１で表示する。この数値“１５”は、設定割引率１５％に相当する。端数設定窓９４は、設定割引率の額に小数点以下の値が含まれる場合に、その小数点以下の値を切り上げるか切り下げるかを指定するためのもので、オペレータのタッチ操作により“切り上げ”“切り下げ”のどちらかを表示する。
【００５３】
割引率表示窓９１の表示が“１５”の状態、端数設定窓９４の表示が“切り上げ”の状態で更新釦７２がタッチ操作されると、マイクロコンピュータ２２は、設定割引率１５％、小数点以下“切り上げ”を確定し、その設定内容を券種データとして券種データファイル２５ｂに記憶するとともに、オペレータディスプレイ６の表示を会計画面６ａまたは初期画面に戻す。
【００５４】
割引率設定画面において金額釦９２がタッチ操作された場合、マイクロコンピュータ２２は、券種データ設定画面６ｂを上記金額設定画面へと戻す。
【００５５】
このように、金券支払（金額）処理の設定金額および金券支払（割引）処理の設定割引率をそれぞれ好みの値に可変設定できるので、店舗の地域、店舗の経営状態、商品の種類などを考慮した最適な割引サービスを実施できる。
【００５６】
なお、上記実施形態では、金券支払（割引）処理を従業員割引のサービスに利用する場合を例に説明したが、従業員割引だけでなく、会員割引、お得意様割引、指定日割引、時間帯割引など、種々の割引サービスに利用可能である。金券支払（割引）処理に代えて、金券支払（金額）処理を割引サービスに利用することももちろん可能である。
【００５７】
その他、この発明は上記各実施形態に限定されるものではなく、要旨を変えない範囲で種々変形実施可能である。
【符号の説明】
【００５８】
１…ＰＯＳターミナル（商品販売処理装置）、３…キーボード、５…カードリーダ、６…オペレータディスプレイ、７…客面ディスプレイ、８…電子ジャーナル、９…プリンタ、１０…バーコードスキャナ、２０…ＣＰＵ、２１…チップセット、２２…マイクロコンピュータ、２３…ＲＯＭ、２４…ＲＡＭ、２５…ＨＤＤ、２５ａ…商品データファイル、２５ｂ…券種データファイル、２５ｃ…売上計データファイル、２５ｄ…収入計データファイル、２６…通信用インタフェース
【図１】
2011232888.tif 000003
【図２】
2011232888.tif 000004
【図３】
2011232888.tif 000005
【図４】
2011232888.tif 000006
【図５】
2011232888.tif 000007
【図６】
2011232888.tif 000008
【図７】
2011232888.tif 000009
【図８】
2011232888.tif 000010